(57)【要約】【課題】製造コストの低減化を図ることができるとともに、加熱炉内において仮固定した冷媒入口フランジおよび／または冷媒出口フランジが、ヘッダから外れてしまうことを防止すること。【解決手段】冷媒配管が接続される冷媒入口と、ヘッダに形成された冷媒流入口２２と連通する冷媒出口２３と、これら冷媒入口と冷媒出口２３とを連通する冷媒流路２４と、ヘッダに取り付けられた際に、ヘッダと接する面に形成された突起（第１の凸部）２６とを有する冷媒入口フランジ６を備えるとともに、ヘッダを板厚方向に貫通して、突起（第１の凸部）２６を受け入れる（第１の）貫通穴２８が設けられており、突起（第１の凸部）２６を、（第１の）貫通穴２８に対してかしめるようにした。【選択図】図４
2012037132.tif 000002
【特許請求の範囲】
【請求項１】
一対のヘッダ間に、複数本の熱交換チューブが互いに平行になるようにして接続され、これら熱交換チューブ間に、コルゲートフィンが配置されてなる熱交換器であって、
冷媒配管が接続される冷媒入口と、前記ヘッダに形成された冷媒流入口と連通する冷媒出口と、これら冷媒入口と冷媒出口とを連通する冷媒流路と、前記ヘッダに取り付けられた際に、前記ヘッダと接する面に形成された第１の凸部とを有する冷媒入口フランジを備えるとともに、
前記ヘッダを板厚方向に貫通して、前記第１の凸部を受け入れる第１の貫通穴が設けられており、
前記第１の凸部が、前記第１の貫通穴に対してかしめられていることを特徴とする熱交換器。
【請求項２】
冷媒配管が接続される冷媒出口と、前記ヘッダに形成された冷媒流出口と連通する冷媒入口と、これら冷媒出口と冷媒入口とを連通する冷媒流路と、前記ヘッダに取り付けられた際に、前記ヘッダと接する面に形成された第２の凸部とを有する冷媒出口フランジを備えるとともに、
前記ヘッダを板厚方向に貫通して、前記第２の凸部を受け入れる第２の貫通穴が設けられており、
前記第２の凸部が、前記第２の貫通穴に対してかしめられていることを特徴とする請求項１に記載の熱交換器。
【請求項３】
一対のヘッダ間に、複数本の熱交換チューブが互いに平行になるようにして接続され、これら熱交換チューブ間に、コルゲートフィンが配置されてなる熱交換器であって、
冷媒配管が接続される冷媒出口と、前記ヘッダに形成された冷媒流出口と連通する冷媒入口と、これら冷媒出口と冷媒入口とを連通する冷媒流路と、前記ヘッダに取り付けられた際に、前記ヘッダと接する面に形成された凸部とを有する冷媒出口フランジを備えるとともに、
前記ヘッダを板厚方向に貫通して、前記凸部を受け入れる貫通穴が設けられており、
前記凸部が、前記貫通穴に対してかしめられていることを特徴とする熱交換器。
【請求項４】
前記第１の凸部、前記第２の凸部、前記凸部に、その延在方向に沿った切り込みが設けられていることを特徴とする請求項１から３のいずれか一項に記載の熱交換器。
【請求項５】
前記ヘッダは、前記熱交換チューブの側に配置されて前記熱交換チューブを支持し、流路を形成するインサイド部材と、前記熱交換チューブと反対の側に配置されて、前記インサイド部材とともに前記流路を形成するアウトサイド部材とを備えていることを特徴とする請求項１から３のいずれか一項に記載の熱交換器。
【請求項６】
請求項１から５のいずれか一項に記載の熱交換器を具備していることを特徴とする車両用空調装置。
【請求項７】
一対のヘッダ間に、複数本の熱交換チューブが互いに平行になるようにして接続され、これら熱交換チューブ間に、コルゲートフィンが配置され、
冷媒配管が接続される冷媒入口と、前記ヘッダに形成された冷媒流入口と連通する冷媒出口と、これら冷媒入口と冷媒出口とを連通する冷媒流路と、前記ヘッダに取り付けられた際に、前記ヘッダと接する面に形成された第１の凸部とを有する冷媒入口フランジを備えるとともに、
前記ヘッダを板厚方向に貫通して、前記第１の凸部を受け入れる第１の貫通穴が設けられている熱交換器の製造方法であって、
前記第１の凸部を、前記第１の貫通穴に対してかしめるようにしたことを特徴とする熱交換器の製造方法。
【請求項８】
冷媒配管が接続される冷媒出口と、前記ヘッダに形成された冷媒流出口と連通する冷媒入口と、これら冷媒出口と冷媒入口とを連通する冷媒流路と、前記ヘッダに取り付けられた際に、前記ヘッダと接する面に形成された第２の凸部とを有する冷媒出口フランジを備えるとともに、
前記ヘッダを板厚方向に貫通して、前記第２の凸部を受け入れる第２の貫通穴が設けられており、
前記第２の凸部を、前記第２の貫通穴に対してかしめるようにしたことを特徴とする請求項７に記載の熱交換器の製造方法。
【請求項９】
一対のヘッダ間に、複数本の熱交換チューブが互いに平行になるようにして接続され、これら熱交換チューブ間に、コルゲートフィンが配置され、
冷媒配管が接続される冷媒出口と、前記ヘッダに形成された冷媒流出口と連通する冷媒入口と、これら冷媒出口と冷媒入口とを連通する冷媒流路と、前記ヘッダに取り付けられた際に、前記ヘッダと接する面に形成された凸部とを有する冷媒出口フランジを備えるとともに、
前記ヘッダを板厚方向に貫通して、前記凸部を受け入れる貫通穴が設けられている熱交換器の製造方法であって、
前記凸部を、前記貫通穴に対してかしめるようにしたことを特徴とする熱交換器の製造方法。
【発明の詳細な説明】
【技術分野】
【０００１】
本発明は、例えば、車両用空調装置のコンデンサとして使用される熱交換器に関するものである。
【背景技術】
【０００２】
車両用空調装置のコンデンサとして使用される熱交換器としては、例えば、特許文献１に開示されているものが知られている。
【先行技術文献】
【特許文献】
【０００３】
【特許文献１】特開平９−２２２２６７号公報
【発明の概要】
【発明が解決しようとする課題】
【０００４】
しかしながら、上記特許文献１に開示されている熱交換器を製造する従来の製造方法においては、冷媒入口（冷媒入口フランジ）６および冷媒出口（冷媒出口フランジ）７を、ヘッダ（ヘッダチューブ）２に点溶接（スポット溶接）にて仮固定した後、加熱炉に入れて冷媒入口６および冷媒出口７を、ヘッダ２にろう付けにて本固定するようにしていた。そのため、製造コストが増加してしまい、また、加熱炉内において仮固定した冷媒入口６および冷媒出口７がヘッダ２から外れて、歩留りが悪くなってしまうといった問題点があった。
【０００５】
本発明は、このような事情に鑑みてなされたものであって、製造コストの低減化を図ることができるとともに、加熱炉内において仮固定した冷媒入口フランジおよび／または冷媒出口フランジが、ヘッダから外れてしまうことを防止することができる熱交換器を提供することを目的とする。
【課題を解決するための手段】
【０００６】
本発明は、上記課題を解決するため、以下の手段を採用した。
本発明に係る熱交換器は、一対のヘッダ間に、複数本の熱交換チューブが互いに平行になるようにして接続され、これら熱交換チューブ間に、コルゲートフィンが配置されてなる熱交換器であって、冷媒配管が接続される冷媒入口と、前記ヘッダに形成された冷媒流入口と連通する冷媒出口と、これら冷媒入口と冷媒出口とを連通する冷媒流路と、前記ヘッダに取り付けられた際に、前記ヘッダと接する面に形成された第１の凸部とを有する冷媒入口フランジを備えるとともに、前記ヘッダを板厚方向に貫通して、前記第１の凸部を受け入れる第１の貫通穴が設けられており、前記第１の凸部が、前記第１の貫通穴に対してかしめられている。
【０００７】
本発明に係る熱交換器によれば、例えば、ヘッダに設けられた第１の貫通穴に、対応する冷媒入口フランジの第１の凸部が挿通され、第１の凸部が工具（例えば、マイナスドライバとハンマ）を用いてかしめられて、ヘッダに冷媒入口フランジが仮固定されることになる。
これにより、従来必要とされた点溶接をなくすことができ、製造コストの低減化を図ることができるとともに、加熱炉内において仮固定した冷媒入口フランジが、ヘッダから外れてしまうことを防止することができる。
【０００８】
上記熱交換器において、冷媒配管が接続される冷媒出口と、前記ヘッダに形成された冷媒流出口と連通する冷媒入口と、これら冷媒出口と冷媒入口とを連通する冷媒流路と、前記ヘッダに取り付けられた際に、前記ヘッダと接する面に形成された第２の凸部とを有する冷媒出口フランジを備えるとともに、前記ヘッダを板厚方向に貫通して、前記第２の凸部を受け入れる第２の貫通穴が設けられており、前記第２の凸部が、前記第２の貫通穴に対してかしめられているとさらに好適である。
【０００９】
このような熱交換器によれば、例えば、ヘッダに設けられた第２の貫通穴に、対応する冷媒出口フランジの第２の凸部が挿通され、第２の凸部が工具（例えば、マイナスドライバとハンマ）を用いてかしめられて、ヘッダに冷媒出口フランジが仮固定されることになる。
これにより、従来必要とされた点溶接をなくすことができ、製造コストの低減化を図ることができるとともに、加熱炉内において仮固定した冷媒出口フランジが、ヘッダから外れてしまうことを防止することができる。
【００１０】
本発明に係る熱交換器は、一対のヘッダ間に、複数本の熱交換チューブが互いに平行になるようにして接続され、これら熱交換チューブ間に、コルゲートフィンが配置されてなる熱交換器であって、冷媒配管が接続される冷媒出口と、前記ヘッダに形成された冷媒流出口と連通する冷媒入口と、これら冷媒出口と冷媒入口とを連通する冷媒流路と、前記ヘッダに取り付けられた際に、前記ヘッダと接する面に形成された凸部とを有する冷媒出口フランジを備えるとともに、前記ヘッダを板厚方向に貫通して、前記凸部を受け入れる貫通穴が設けられており、前記凸部が、前記貫通穴に対してかしめられている。
【００１１】
本発明に係る熱交換器によれば、例えば、ヘッダに設けられた第１の貫通穴に、対応する冷媒入口フランジの第１の凸部が挿通され、第１の凸部が工具（例えば、マイナスドライバとハンマ）を用いてかしめられて、ヘッダに冷媒入口フランジが仮固定されることになる。
また、これと同時に、例えば、ヘッダに設けられた第２の貫通穴に、対応する冷媒出口フランジの第２の凸部が挿通され、第２の凸部が工具（例えば、マイナスドライバとハンマ）を用いてかしめられて、ヘッダに冷媒出口フランジが仮固定されることになる。
これにより、従来必要とされた点溶接をなくすことができ、製造コストの低減化を図ることができるとともに、加熱炉内において仮固定した冷媒入口フランジおよび冷媒出口フランジが、ヘッダから外れてしまうことを防止することができる。
【００１２】
上記熱交換器において、前記第１の凸部、前記第２の凸部、前記凸部に、その延在方向に沿った切り込みが設けられているとさらに好適である。
【００１３】
このような熱交換器によれば、マイナスドライバの先端を切り込みに沿ってあて、マイナスドライバの柄の頭をハンマで叩くだけで、第１の凸部、第２の凸部、凸部を誰でも容易にかしめることができ、作業性を向上させることができる。
【００１４】
上記熱交換器において、前記ヘッダは、前記熱交換チューブの側に配置されて前記熱交換チューブを支持し、流路を形成するインサイド部材と、前記熱交換チューブと反対の側に配置されて、前記インサイド部材とともに前記流路を形成するアウトサイド部材とを備えているとさらに好適である。
【００１５】
このような熱交換器によれば、ヘッダは、インサイド部材とアウトサイド部材の二つの部材で構成されており、アウトサイド部材の貫通穴に冷媒入口フランジおよび／または冷媒出口フランジの突起をかしめた後に、インサイド部材とアウトサイド部材とが結合される（重ね合わせられる）ことになる。
【００１６】
このような熱交換器によれば、アウトサイド部材の貫通穴に冷媒入口フランジおよび／または冷媒出口フランジの突起をかしめる際に使用される工具の作業スペースを十分に確保することができ、作業性をさらに向上させることができる。
【００１７】
本発明に係る車両用空調装置は、上記いずれかの熱交換器を具備している。
【００１８】
本発明に係る車両用空調装置によれば、従来必要とされた点溶接をなくすことができ、製造コストの低減化を図ることができるとともに、加熱炉内において仮固定した冷媒出口フランジが、ヘッダから外れてしまうことを防止することができる熱交換器を具備しているので、車両用空調装置全体の製造コストの低減化を図ることができる。
【００１９】
本発明に係る熱交換器の製造方法は、一対のヘッダ間に、複数本の熱交換チューブが互いに平行になるようにして接続され、これら熱交換チューブ間に、コルゲートフィンが配置され、冷媒配管が接続される冷媒入口と、前記ヘッダに形成された冷媒流入口と連通する冷媒出口と、これら冷媒入口と冷媒出口とを連通する冷媒流路と、前記ヘッダに取り付けられた際に、前記ヘッダと接する面に形成された第１の凸部とを有する冷媒入口フランジを備えるとともに、前記ヘッダを板厚方向に貫通して、前記第１の凸部を受け入れる第１の貫通穴が設けられている熱交換器の製造方法であって、前記第１の凸部を、前記第１の貫通穴に対してかしめるようにした。
【００２０】
本発明に係る熱交換器の製造方法によれば、例えば、ヘッダに設けられた第１の貫通穴に、対応する冷媒入口フランジの第１の凸部が挿通され、第１の凸部が工具（例えば、マイナスドライバとハンマ）を用いてかしめられて、ヘッダに冷媒入口フランジが仮固定されることになる。
これにより、従来必要とされた点溶接をなくすことができ、製造コストの低減化を図ることができるとともに、加熱炉内において仮固定した冷媒入口フランジが、ヘッダから外れてしまうことを防止することができる。
【００２１】
上記熱交換器の製造方法において、冷媒配管が接続される冷媒出口と、前記ヘッダに形成された冷媒流出口と連通する冷媒入口と、これら冷媒出口と冷媒入口とを連通する冷媒流路と、前記ヘッダに取り付けられた際に、前記ヘッダと接する面に形成された第２の凸部とを有する冷媒出口フランジを備えるとともに、前記ヘッダを板厚方向に貫通して、前記第２の凸部を受け入れる第２の貫通穴が設けられており、前記第２の凸部を、前記第２の貫通穴に対してかしめるようにした。
【００２２】
このような熱交換器の製造方法によれば、例えば、ヘッダに設けられた第２の貫通穴に、対応する冷媒出口フランジの第２の凸部が挿通され、第２の凸部が工具（例えば、マイナスドライバとハンマ）を用いてかしめられて、ヘッダに冷媒出口フランジが仮固定されることになる。
これにより、従来必要とされた点溶接をなくすことができ、製造コストの低減化を図ることができるとともに、加熱炉内において仮固定した冷媒出口フランジが、ヘッダから外れてしまうことを防止することができる。
【００２３】
本発明に係る熱交換器の製造方法は、一対のヘッダ間に、複数本の熱交換チューブが互いに平行になるようにして接続され、これら熱交換チューブ間に、コルゲートフィンが配置され、冷媒配管が接続される冷媒出口と、前記ヘッダに形成された冷媒流出口と連通する冷媒入口と、これら冷媒出口と冷媒入口とを連通する冷媒流路と、前記ヘッダに取り付けられた際に、前記ヘッダと接する面に形成された凸部とを有する冷媒出口フランジを備えるとともに、前記ヘッダを板厚方向に貫通して、前記凸部を受け入れる貫通穴が設けられている熱交換器の製造方法であって、前記凸部を、前記貫通穴に対してかしめるようにした。
【００２４】
本発明に係る熱交換器の製造方法によれば、例えば、ヘッダに設けられた第１の貫通穴に、対応する冷媒入口フランジの第１の凸部が挿通され、第１の凸部が工具（例えば、マイナスドライバとハンマ）を用いてかしめられて、ヘッダに冷媒入口フランジが仮固定されることになる。
また、これと同時に、例えば、ヘッダに設けられた第２の貫通穴に、対応する冷媒出口フランジの第２の凸部が挿通され、第２の凸部が工具（例えば、マイナスドライバとハンマ）を用いてかしめられて、ヘッダに冷媒出口フランジが仮固定されることになる。
これにより、従来必要とされた点溶接をなくすことができ、製造コストの低減化を図ることができるとともに、加熱炉内において仮固定した冷媒入口フランジおよび冷媒出口フランジが、ヘッダから外れてしまうことを防止することができる。
【発明の効果】
【００２５】
本発明に係る熱交換器によれば、製造コストの低減化を図ることができるとともに、加熱炉内において仮固定した冷媒入口フランジおよび／または冷媒出口フランジが、ヘッダから外れてしまうことを防止することができるという効果を奏する。
【図面の簡単な説明】
【００２６】
【図１】本発明の一実施形態に係る熱交換器の斜視図である。
【図２】図１に示す熱交換器の要部を拡大して示す斜視図である。
【図３】図１および図２に示すヘッダに冷媒入口フランジを仮固定する手順を説明する図である。
【図４】図１および図２に示すヘッダに冷媒入口フランジを仮固定する手順を説明する図である。
【図５】図４のＶ−Ｖ矢視断面図である。
【発明を実施するための形態】
【００２７】
本発明の一実施形態に係る熱交換器について、図１から図５を参照しながら説明する。
図１は本実施形態に係る熱交換器の斜視図、図２は図１に示す熱交換器の要部を拡大して示す斜視図、図３および図４は図１および図２に示すヘッダに冷媒入口フランジを仮固定する手順を説明する図、図５は図４のＶ−Ｖ矢視断面図である。
【００２８】
図１に示すように、本実施形態に係る熱交換器１は、一対（二個一組）のヘッダ２，３と、熱交換チューブ４と、コルゲートフィン５と、冷媒入口フランジ６と、冷媒出口フランジ７と、レシーバ８とを備えており、例えば、車両用空調装置のコンデンサとして使用される熱交換器である。
図２に示すように、ヘッダ２，３はそれぞれ、ろう付用クラッド材（ろう材を基材にクラッドしたもの）からなる二つの部材、すなわち、内側（熱交換チューブ４の側）に配置されて空間（流路）を形成するインサイド部材（内側部材）１１と、外側（熱交換チューブ４と反対の側）に配置されて空間（流路）を形成するアウトサイド部材（外側部材）１２とを備えている。
【００２９】
インサイド部材１１の幅方向における両端部は、内側から外側に向かって延びており、この両端部によってアウトサイド部材１２の幅方向における両端部が、外側から挟み込まれるようになっている。また、インサイド部材１１の一端部と他端部との間に位置する中央部には、板厚方向に貫通して熱交換チューブ４の端部を受け入れて支持する長穴状の貫通穴１３が複数個（本実施形態では２０個）設けられて（形成されて）いる。
【００３０】
アウトサイド部材１２の幅方向における両端部は、外側から内側に向かって延びており、インサイド部材１１の両端部により挟み込まれるようになっている。また、インサイド部材１１の両端部およびアウトサイド部材１２の両端部は、インサイド部材１１の両端部がアウトサイド部材１２の両端部によって挟み込まれた状態で、インサイド部材１１の両端部の内表面（内周面）と、アウトサイド部材１２の両端部の外表面（外周面）とが、密着するように形成されている。そして、インサイド部材１１とアウトサイド部材１２との間には、空間（冷媒が流通する流路）が形成されるようになっている。
【００３１】
なお、インサイド部材１１とアウトサイド部材１２とにより形成された空間の両端に位置する開口１４は、図示しない蓋部材（盲板）により塞がれて、その内部に密閉空間（密閉された流路）が形成されるようになっている。
また、インサイド部材１１とアウトサイド部材１２とにより形成された空間内には、冷媒入口フランジ６の側と、冷媒出口フランジ７の側とを仕切る（区画する）図示しない仕切板が設けられている。
【００３２】
熱交換チューブ４は、長手方向に沿って複数本（本実施形態では２４本）の流路１５が内部に形成された偏平チューブであり、ヘッダ２の内部とヘッダ３の内部とを連通するようにして、ヘッダ２とヘッダ３との間に架け渡されている。また、熱交換チューブ４は、一対のヘッダ２，３に対して複数本（本実施形態では２０本）設けられており、その長手方向軸線がヘッダ２，３の長手方向軸線と直交するとともに、互いに平行になるようにして配置されている。
【００３３】
コルゲートフィン５は、非常に薄い板状の部材を正面から見て波形になるように何度も折り返した（折り曲げた）放熱用のフィンであり、隣り合う熱交換チューブ４と熱交換チューブ４とに接するようにして、隣り合う熱交換チューブ４と熱交換チューブ４との間に配置されている。
なお、本実施形態において、両端（図１において上端および下端）に配置されたコルゲートフィン５は、隣り合う熱交換チューブ４と押さえ板１６とに接するようにして、隣り合う熱交換チューブ４と押さえ板１６との間に配置されている。
【００３４】
冷媒入口フランジ６は、アルミニウム合金（例えば、６０００番台のアルミニウム合金）で作られており、図示しない冷媒配管が接続される冷媒入口２１（図１参照）と、アウトサイド部材１２の一端部と他端部との間に位置する中央部に、板厚方向に貫通するようにして設けられた貫通穴（冷媒流入口）２２（図３から図５参照）と接続（連通）される冷媒出口２３（図３から図５参照）と、冷媒入口２１と冷媒出口２２とを連通する冷媒流路２４とを備えている。また、ヘッダ２の、アウトサイド部材１２の中央部の外表面（外周面）と接する（対向する）面２５には、隣り合う面がすべて直角に交わるような五面体からなる直方体状の突起（凸部）２６が二つ設けられており、各突起２６には、切り込み（スリット）２７が一つ設けられている。
一方、ヘッダ２の、アウトサイド部材１２の中央部には、板厚方向に貫通して突起２６を受け入れる平面視矩形状を呈する貫通穴２８が二つ設けられている。そして、図４および図５に示すように、各貫通穴２８には、対応する突起２６が挿通され、図示しない工具（例えば、マイナスドライバとハンマ）を用いてかしめられて、ヘッダ２のアウトサイド部材１２に冷媒入口フランジ６が仮固定されることになる。
【００３５】
冷媒出口フランジ７は、アルミニウム合金（例えば、６０００番台のアルミニウム合金）で作られており、図示しない冷媒配管が接続される冷媒出口３１（図１参照）と、アウトサイド部材１２の一端部と他端部との間に位置する中央部に、板厚方向に貫通するようにして設けられた、貫通穴（冷媒流入口）２２と同様の図示しない貫通穴（冷媒流出口）と接続（連通）される、冷媒出口２３と同様の冷媒入口（図示せず）と、冷媒出口３１と冷媒入口とを連通する冷媒流路３４とを備えている。また、ヘッダ２の、アウトサイド部材１２の中央部の外表面（外周面）と接する（対向する）面２５には、隣り合う面がすべて直角に交わるような五面体からなる、突起（凸部）２６と同様の図示しない突起（凸部）が二つ設けられており、各突起には、切り込み（スリット）２７と同様の図示しない切り込み（スリット）が一つ設けられている。
一方、ヘッダ２の、アウトサイド部材１２の中央部には、板厚方向に貫通して突起を受け入れる平面視矩形状を呈する、貫通穴２８と同様の貫通穴（図示せず）が二つ設けられている。そして、図４および図５に示すものと同様にして、各貫通穴には、対応する突起が挿通され、図示しない工具（例えば、マイナスドライバとハンマ）を用いてかしめられて、ヘッダ２のアウトサイド部材１２に冷媒入口フランジ７が仮固定されることになる。
【００３６】
そして、ヘッダ２のアウトサイド部材１２に仮固定された冷媒入口フランジ６および冷媒出口フランジ７は、ヘッダ２，３間に仮固定された熱交換チューブ４および押さえ板１６、熱交換チューブ４間に仮固定されたコルゲートフィン５とともに加熱炉内に入れられて加熱され、ヘッダ２のアウトサイド部材１２に本固定される。このとき同時に、ヘッダ２，３間に仮固定された熱交換チューブ４および押さえ板１６は、ヘッダ２，３間に本固定され、熱交換チューブ４間に仮固定されたコルゲートフィン５は、熱交換チューブ４間に本固定される。
【００３７】
レシーバ８は、熱交換チューブ４を通過する間に液化した冷媒を、冷媒負荷に応じてエバポレータに供給できるよう一時的に貯えるタンクであり、図示しない締結手段を介してヘッダ３に取り付けられている（固定されている）。また、レシーバ８内には、冷凍サイクル内のゴミを取り除くストレーナ（図示せず）と、冷凍サイクル内の水分を取り除く乾燥剤（図示せず）とが封入されている。
【００３８】
本実施形態に係る熱交換器１によれば、ヘッダ２のアウトサイド部材１２に設けられた貫通穴２８に、対応する冷媒入口フランジ６の突起２６が挿通され、突起２６が図示しない工具（例えば、マイナスドライバとハンマ）を用いてかしめられて、ヘッダ２のアウトサイド部材１２に冷媒入口フランジ６が仮固定されることになる。
また、これと同時に、ヘッダ２のアウトサイド部材１２に設けられた貫通穴２８と同様の貫通穴に、対応する冷媒出口フランジ７の、突起２６と同様の突起が挿通され、突起が図示しない工具（例えば、マイナスドライバとハンマ）を用いてかしめられて、ヘッダ２のアウトサイド部材１２に冷媒出口フランジ７が仮固定されることになる。
これにより、従来必要とされた点溶接をなくすことができ、製造コストの低減化を図ることができるとともに、加熱炉内において仮固定した冷媒入口フランジ６および冷媒出口フランジ７が、ヘッダ２のアウトサイド部材１２から外れてしまうことを防止することができる。
【００３９】
また、本実施形態に係る熱交換器１によれば、突起２６、突起２６と同様の突起に、その延在方向に沿った切り込み２７が設けられているので、例えば、マイナスドライバの先端を切り込み２７に沿ってあて、マイナスドライバの柄の頭をハンマで叩くだけで、突起２６、突起２６と同様の突起を誰でも容易にかしめることができ、作業性を向上させることができる。
【００４０】
さらに、本実施形態に係る熱交換器１によれば、ヘッダ２は、インサイド部材１１とアウトサイド部材１２の二つの部材で構成されており、アウトサイド部材１２の貫通穴２８に冷媒入口フランジ６の突起２６をかしめ、アウトサイド部材１２の別の貫通穴に冷媒出口フランジ７の突起をかしめた後に、インサイド部材１１とアウトサイド部材１２とが結合される（重ね合わせられる）ことになるので、アウトサイド部材１２の貫通穴に冷媒入口フランジ６および／または冷媒出口フランジ７の突起をかしめる際に使用される工具の作業スペースを十分に確保することができ、作業性をさらに向上させることができる。
【００４１】
なお、本発明は上述した実施形態に限定されるものではなく、適宜必要に応じて変形・変更実施可能である。
【符号の説明】
【００４２】
１  熱交換器
２  ヘッダ
３  ヘッダ
４  熱交換チューブ
５  コルゲートフィン
６  冷媒入口フランジ
７  冷媒出口フランジ
１１  インサイド部材
１２  アウトサイド部材
２１  冷媒入口
２２  冷媒流入口
２３  冷媒出口
２４  冷媒流路
２５  面
２６  突起（第１の凸部）
２７  切り込み
２８  （第１の）貫通穴
３１  冷媒出口
３４  冷媒流路
【図１】
2012037132.tif 000003
【図２】
2012037132.tif 000004
【図３】
2012037132.tif 000005
【図４】
2012037132.tif 000006
【図５】
2012037132.tif 000007